(57)【要約】【課題】      軽量であり、折畳んだ収納状態においても極めてコンパクトであって、鞄やハンドバッグに収納するときの治まりが非常によく、持ち運びに便利な正座や足置き用の座椅子を提供する。【解決手段】  ともに軽量な材料製の座面部１と座面部を支持する座面支持部２とからなり、座面支持部は、互いに平行する２枚の長方形板２１ａ、２１ｂおよび２枚の長方形板の両端部に枢着されそれぞれ内向きに「く」の字状に屈曲可能な２枚の側板２２ａ、２２ｂからなり、２枚の側板が内向きに十分に屈曲されて折畳まれた状態および２枚の側板の屈曲部が伸張した状態をとり、両長方形板間に屈曲可能なリンク２５ａ、２５ｂが連結されるとともに両長方形板を押し開くようにリンクを付勢するスプリングが設けられている。【選択図】    図１
2006095205.tif 000002
【特許請求の範囲】
【請求項１】
ともに軽量な材料製の座面部と該座面部を支持する座面支持部とからなり、該座面支持部は、互いに平行する２枚の長方形板および該２枚の長方形板の両端部に枢着されそれぞれ内向きに「く」の字状に屈曲可能な２枚の側板からなり、該２枚の側板が内向きに十分に屈曲されて折畳まれた状態および該２枚の側板の屈曲部が伸張した状態をとるようになっており、前記両長方形板間に屈曲可能なリンクが連結されるとともに該両長方形板を押し開くようにリンクを付勢するスプリングが設けられており、前記座面支持部の一方の長方形板の上端部は前記座面部の一端部に連結されており、前記座面部が、少なくとも下面において、前記長方形板連結部から折畳まれた状態の座面支持部の折畳み厚さに対応する距離離れた位置から折曲げ可能であり、折畳み状態の座面支持部と座面部が重なった収納状態および四辺形状態の座面支持部が座面部を支持する使用状態をとるようにしたことを特徴とする座椅子。
【請求項２】
前記長方形板の高さが、高々前記座面部の折曲げ可能位置と反長方形板連結部側縁との距離であることを特徴とする請求項１に記載の座椅子。
【請求項３】
前記座面部下面に該座面部に沿って延在するガイドが設けられ、前記座面支持部の長方形板に該ガイドに係合するピン部材が設けられていることを特徴とする請求項１または２に記載の座椅子。
【請求項４】
前記座面部の下面の反長方形板連結部側に、座面支持部が拡開された際に反連結部側の長方形板に係合する係止部材が設けられていることを特徴とする請求項１〜３の何れか１項に記載の座椅子。
【発明の詳細な説明】
【技術分野】
【０００１】
本発明は、正座用や足置きに用いるに座椅子関する。より詳しくは、本発明は小型・軽量であり携帯に便利で、正座時や足置き時に使用するのに適する座椅子に関する。
【背景技術】
【０００２】
往古、わが国においては畳や和式の板の間に正座することが普通であったが、最近、生活が洋式化してこのような正座の経験がない人や、経年により正座に苦痛を感じるようになっている人が増加している。
【０００３】
しかしながら、茶道や華道等の和式の催事や、仏事のお勤めの際などには依然として正座する必要性がある。
【０００４】
従来から、正座用座椅子として種々のものが提案されている。例えば、特許文献１（特許３１４３３４３号公報）には、クッション台座を載せた座板と、対称形状の左右一対の脚体と、該脚体を前記座板の下面に取付ける取付部材と、該部材に前記脚体を回動可能に取付ける左右一対の平行な水平軸と、前記取付部材内で前記水平軸に案内されて軸方向に移動可能に設けられたストッパーとを備え、前記ストッパーの左右両端部に、軸孔を有する左右一対のボス部が設けられると共に、左右一対のボス部に脚体係止突部が夫々設けられ、前記左右一対の脚体の基部に、前後に二又状の取付耳部が夫々設けられ、二又状の取付耳部を前記水平軸に外嵌することにより、左右一対の脚体は、二又状の取付耳部を介して左右一対の水平軸にそれぞれ起伏回動可能に支持され、前記ストッパーの左右一対のボス部は、前記左右一対の脚体の二又状の取付耳部間に夫々配置されると共に、前記軸孔を介して左右一対の水平軸に夫々前後移動自在に外嵌され、左右一対の脚体の、二又状の取付耳部のうちの一方の取付耳部側に、ストッパー係合部が設けられ、左右一対のボス部を対応する水平軸に沿って夫々ストッパー係合部側に付勢しかつ脚体の起立開脚時に脚体の倒伏回動を規制するように前記ストッパーの脚体係止突部をストッパー係合部に係合させるばね等の弾性体が、左右一対のボス部に対応して左右一対設けられていることを特徴とする座椅子が開示されている。
【０００５】
特許文献２（特開２００３−０７０５９７号公報）には、携行が容易で、さらに、収納する場所を選ばず、さらには、容易に組み立てることができて、至便な座椅子を提供することを目的とし、係止部を有する支持部と、被係止部を有する第１骨格部と、第２骨格部との一対でなる座部骨格部と、該座部骨格部の自由端間を架設する載置部とからなる座部と、を開閉可能に略一体に形成する。さらに、前記座部骨格部は、前記第１骨格部と第２骨格部とを、付勢部を有する連結部により互いに連結されており、支持部から取り出されるに連れて展開するように設けられている座椅子が開示されている。
【０００６】
特許文献３（特開平１０−２１１０４７号公報）には、折り畳みの操作が容易であって且つ人が座るための強度を充分に維持している携帯用折畳椅子として、方形の板体である直立板を前後に相対向して並設し、前記両直立板の各上下部間に載置部を屈曲可能に設け、両直立板間の左右部を蛇腹部で連結し、上下両載置部の中央部に、蛇腹部３の内側を上下動する突出片を直立板に平行に突出してあって、直立板を前後の間隔が狭くなるように押圧すると、蛇腹部が縮み、載置部が上下に突出し、突出片がそれぞれ離れる方向に移動して、椅子が折り畳まれ、折り畳まれた椅子の載置部を上下から押圧すると、載置部が蛇腹部の上下辺に当接して水平になり、上下突出片の先端辺が当接して載置部２を支持する座椅子が開示されている。
【０００７】
特許文献４（特開２００４−０８９４２２号公報）には、持ち運びが容易で携帯性に優れ、軽量、且つ小容積で組み立ておよび折り畳みしやすく、使用時の強度が高く安定性があり、そして、安価な携帯用正座椅子を提供するべく、段ボール板紙により形成され、方形の四周側面板と、底面板と、上面板とからなる略正方形の箱体であって、四周の側面板の対向する二側面板は内方へ向って折り畳み自在なヒダ部を有し、底面板は上方へ向って折り畳み自在な折り曲げ部を有し、上面板は上方向へ向かって二つ折り自在な折り曲げ線を有し、内部に山形状に二つ折りされた補強板が収納され、該補強板の上端で平坦な状態にある上面板の下面を支持し得るようにしたことを特徴とする携帯用正座椅子が開示されている。
【０００８】
【特許文献１】特許３１４３３４３号公報
【特許文献２】特開２００３−０７０５９７号公報
【特許文献３】特開平１０−２１１０４７号公報
【特許文献４】特開２００４−０８９４２２号公報
【発明の開示】
【発明が解決しようとする課題】
【０００９】
特許文献１に開示された正座用座椅子では、強度を維持するために脚部および取付部を強度が大きく、サイズが大きく、従って重い金属または樹脂で製造する必要がある。このため、この特許文献１に開示された正座用座椅子は重くなり、携帯するのに不便である。また、上述の構成から、この特許文献１の正座用座椅子は収納した状態においても非常に嵩高となり、その意味からも携帯に不便である。更に、この特許文献１においては座板の下面の中央部に小間隙を開けて２つの脚部を枢着しているために、使用時において脚部を立てた場合に、その支持部が座面のうちの中央部分の限られた部分に位置しており、偏加重が掛かった場合に倒れ易い。すなわち、正座用椅子においては通常比較的長時間の使用となるために、使用中に腰を少し動かしたりすることはよくあることであるが、このようにした場合に正座用椅子の左右に掛かる重量が変化して、椅子が傾き腰に負担が掛かったり、椅子が倒れ、それにより正座用椅子に坐っていた人がこけてしまうようなことが生じ易い。
【００１０】
特許文献２においては、箱形をした支持部に対して２枚の第１および第２骨格部が扇形に広がるようにして使用し、また収納時においては両骨格部を閉じて支持部の中に収納するようにしたものである。このようにしたものは支持部の幅が非常に狭く、その狭い支持部で座椅子に坐っている人の重量を支える。そのため特許文献１と同様に非常に不安定である。また骨格部に充分な強度を持たせるために骨格部は強度の大きい板材などを用いる必要があり、このため重さも重くなり易く携帯に不便である。
【００１１】
特許文献３に開示された座椅子は段ボール紙や厚紙を用いており重量は比較的軽いが、携帯用座椅子として使用する場合はまだしも、折畳んで収納する場合には蛇腹部に連結した載置部がそれぞれ上部に突出するため、全体としての大きさが座面の大きさよりも遥かに大きくなってしまい携帯時の収納に不便である。
【００１２】
特許文献４に開示された正座用座椅子にあっても、段ボール板紙により四角形に形成するとともに、その上面に折畳み可能な上面板を一体的に１枚の段ボールによって形成したものであるが、この正座用座椅子においては、収納時においてはやはり上面板を折曲げて箱体から突出した状態となるために、大きさが大きく携帯時の収納に不便である。
【００１３】
本発明は上述したような従来技術に付随する問題点を解消し、主として樹脂系素材、ボール紙、ベニヤ板などの素材で構成して極めて軽量であり、持ち運びに便利な正座や足置き用の座椅子を提供することを目的とする。
【００１４】
また本発明においては、折畳んだ収納状態においても極めてコンパクトであって、その大きさが座面部の大きさとほぼ同じ位の大きさとできる正座や足置き用の座椅子を提供することを目的とする。
【００１５】
更に本発明においては、折畳まれた状態において通常の書籍と同じ形状で、その周囲に余計な凹凸がなく、鞄やハンドバッグに収納するときの治まりが非常によい正座や足置き用の座椅子を提供することを目的とする。
【００１６】
また本発明においては、使用時においては内蔵したスプリングの力を用いてワンタッチで折畳まれた状態の座面部と座面支持部を使用状態にすることができ、組立てに煩わしさがない。また座面支持部が座面部のほぼ全領域を支持しているため、本発明の正座や足置き用の座椅子は座ったときに極めて安定であり、仮に長時間の正座によって正座している者が腰を僅かに動かすようなことがあっても座椅子が倒れたりすることがなく、また、足を置いたときにも安定しており、安心して用いることができるものを提供することを目的とする。
【課題を解決するための手段】
【００１７】
本発明においては、上記の目的を、ともに軽量な材料製の座面部と該座面部を支持する座面支持部とからなり、該座面支持部は、互いに平行する２枚の長方形板および該２枚の長方形板の両端部に枢着されそれぞれ内向きに「く」の字状に屈曲可能な２枚の側板からなり、該２枚の側板が内向きに十分に屈曲されて折畳まれた状態および該２枚の側板の屈曲部が伸張した状態をとるようになっており、前記両長方形板間に屈曲可能なリンクが連結されるとともに該両長方形板を押し開くようにリンクを付勢するスプリングが設けられており、前記座面支持部の一方の長方形板の上端部は前記座面部の一端部に連結されており、前記座面部が、少なくとも下面において、前記長方形板連結部から折畳まれた状態の座面支持部の折畳み厚さに対応する距離離れた位置から折曲げ可能であり、折畳み状態の座面支持部と座面部が重なった収納状態および四辺形状態の座面支持部が座面部を支持する使用状態をとるようにしたことを特徴とする座椅子により達成する。
【００１８】
なお、本発明の「座椅子」は、正座用の座椅子および足置き用の台を含むものである。
【００１９】
本発明の座面部および座面支持部に用いる材料としては、軽量な樹脂系素材、ボール紙或いはベニヤ板などを用いることができる。特に、ボール紙を用いた場合には、座面部と座面支持部とを１枚のボール紙を用いて形成するとともに、この座面部と座面支持部との間に罫線を設けて、この罫線に沿って折曲げるようにすることが好ましい。また樹脂系素材においても同様に座面部と座面支持部を同材料で一体的に製作し、その間に罫線部を設けることにより座面部と座面支持部とを区画することができる。なお、ベニヤ板を用いる場合には、ベニヤ板に罫線を設けて座面部と座面支持部とを区画するのが非常に難しいので、座面部と座面支持部とを別体の者として両者を連結する屈曲可能な布地、合成皮革などからなる屈曲素材を両者にまたがって貼付け、両者の境目においてその素材が屈曲するようにする。
【００２０】
また、本発明に用いる屈曲可能なリンクは、上向きにへの字状に屈曲した一対のリンクでもよいし、逆くの字状に下向きに屈曲したリンクでもよい。この両リンクを付勢するスプリングとしては、両リンク間に張架した圧縮スプリング、両リンクを連結するピンに装着した捩りスプリング、または両リンクを連結する板バネもしくは両リンクそのものを板バネで製作することなどができる。
【００２１】
また本発明においては、座面部の表面には正座したり足を置いた人が心地好く感じるようにクッション材などを貼り、その上を飾り布、天然皮革、または合成皮革などで覆うことが好ましい。また座面支持部の周囲も布、天然皮革、合成皮革もしくは紙等を貼って、または塗料を塗布して仕上げることにより全体として極めて美観のよいものとすることができる。
【００２２】
本発明においては、前記長方形板の高さが、高々前記座面部の折曲げ可能位置と反長方形板連結部側縁との距離であることが好ましい。この構成とすることにより、連結部から座面支持部の折畳み厚さに対応する距離の位置で座面支持部全体が折曲げ可能となる。
【００２３】
更に、前記座面部下面に該座面部に沿って延在するガイドが設けられ、前記座面支持部の長方形板に該ガイドに係合するピン部材が設けられていることにより折畳み座面支持部を座面部の下方に体裁よく収納することができる。
【００２４】
更に、本発明の座面支持部が使用時において簡単に使用状態に開くようにするために、前記座面部の下面の反長方形板連結部側に、座面支持部が拡開された際には反連結部側の長方形板に係合する係止部材が設けられていることが好ましい。
【００２５】
このようにすることによってリンクに設けられたスプリングにより２つの長方形板は互いに離れる方向に付勢されて、反連結部側の長方形板は座面部に沿って移動し、軽支部剤に当接して、その状態に固定される。このように座面部の下で座面支持部をワンタッチで使用状態とすることができる。
【００２６】
また、収納時においては、反連結部側の長方形板をスプリング力に抗してガイドに沿って押し込んでいって、側板を折畳み、このように折畳んだ座面支持部を座面部の折曲げ可能位置の回りに曲げることにより、座面部の下方に簡単に収納した状態とすることができる。
【００２７】
更に、前記座面部の下面の反長方形板連結部側に係止部材が設けられていることにより、収納状態および使用状態の座面支持部を座面部の下方に確実に保持することができる。
【発明の効果】
【００２８】
本発明によれば、座面部と座面支持部とを軽量な材料で作り、両者を連結し、座面部の少なくとも下面において折曲げ可能としているために、全体として極めて軽量でコンパクトな座椅子が得られる。この場合に、座面部の大きさをＢ６（１２．８ｃｍ×１８．２ｃｍ）〜Ａ５サイズ（１４．８ｃｍ×２１．０ｃｍ）程度とすることにより、収納状態においてもほぼＢ６ないしＡ５サイズの書籍と同様な大きさとなり、非常にコンパクトとなり、鞄やハンドバッグに収納して携帯するのに便利である。
【００２９】
特に、本発明によれば、上述のように折畳んだ状態では書籍と同じような形状となって余計な凹凸がなく、外観が美しく、そのままでも、また、本などの書籍ケースと同様の形状の収納ケースに収納することにより、本と同様にして鞄やハンドバッグに収納することができる。
【００３０】
また、本発明においては、座面支持部を使用時においては、リンクおよびスプリングにより座面支持部の２枚の長方形板を互いに付勢してワンタッチで開くようにしており、使用状態への構成が極めて簡単に行うことができ組立ての煩わしさがない。また、使用後においても、座面支持部の長方形板の連結部と反対側の板を押圧して２枚の長方形板を接近させ、座面部の折曲げ可能位置の回りに座面支持部を折曲げて、座面支持部を座面部の下方に収納することにより簡単に折畳んだ状態とすることができ、取扱いが非常に便利である。
【発明を実施するための最良の形態】
【００３１】
以下、添付図面を参照して本発明を詳細に説明する。図１は本発明に係る座椅子の一実施例の斜視図であり、（ａ）は収納状態、（ｂ）は使用状態を示す。図２（ａ）は図１（ａ）に示す収納状態にある実施例の正面図、図２（ｂ）は左側面図、図２（ｃ）は上面図である。図３は図２（ａ）に示す収納状態にある実施例からガイドを除去した正面図である。図４（ａ）は使用状態にある実施例からガイドを除去して示した正面図（なお、除去したガイドを想像線で示している）、図４（ｂ）は使用状態にある実施例の左側面図である。図５は本実施例の座面支持部の平面図であり、（ａ）は拡開状態、（ｂ）は折畳み状態を示す。図６（ａ）は図４（ａ）のＡ−Ａ断面図、図６（ｂ）は図６（ａ）のＢ−Ｂ断面図である。
【００３２】
本発明の座椅子は座面部と座面支持部２から構成されている（図１（ｂ）参照）。本実施例の座面部は図２（ｃ）に示す平面図で見た大きさがほぼＡ５大きさ程度としている。図３に示すように、本実施例の座面部１は貼合わされた２枚のシート板１１、１３と上側のシート板の上にクッション１２などを入れて座り心地をよくしている。クッション１２の上に飾り布、天然皮革、合成皮革、千代紙等を貼って修飾することが好ましい。本実施例においては、座面部１のシート板１１、１３は樹脂系素材、ボール紙、またはベニヤ板などを用いることができる。
【００３３】
本実施例の座面支持部２は図５（ａ）に示すように４枚のシート板２１ａ、２１ｂ、２２ａ、２２ｂから構成されている。その内、２枚のシート板２１ａ、２１ｂは長方形であり、互いに対向しており、罫線２４ａ、２４ｂの回りに屈曲可能な２枚の側板２２ａ、２２ｂを介して連結されている。長方形板２１ａ、２１ｂの両端部と側板２２ａ、２２ｂとは罫線２３ａ、２３ｂ、２３ｃ、２３ｄの回りに屈曲可能に連結されている。この場合に長方形板２１ａ、２１ｂおよび側板２２ａ、２２ｂが樹脂系素材またはボール紙で作られている場合には、罫線２３ａ〜２３ｄ、２４ａ、２４ｂによって屈曲させることができる。また、ベニヤの場合には屈曲部に布地または合成皮革などの薄手のシート材を貼ることによって屈曲をさせることができる。
【００３４】
これにより、座面支持部２は図５（ａ）に示すように側板２２ａ、２２ｂが拡開して長方形板２１ａ、２１ｂが互いに離れた状態および図５（ｂ）に示すように側板２２ａ、２２ｂが罫線２３ａ、２３ｂ、２３ｃ、２３ｄ、２４ａ、２４ｂの回りに屈曲した折畳み状態となる。
【００３５】
座面部１のシート板１３の先端部１３ａの端に一方の長方形板２１ａの上端が連結され、連結部１３ｂとなっている。連結部１３ｂにおいて、座面部１野シート板１３と長方形板２１ａとは直角をなした状態で固定されていてもよいし、シート板１３に対して長方形板２１ａが連結部１３ｂを中心として回動してもよい。連結部１３ｂは、シート板１３および長方形板が樹脂系素材またはボール紙を用いている場合には罫線としてもよいし、シート板１３がベニヤ板の場合には布地または合成皮革などの薄手のシート材を貼ってもよい。
【００３６】
また、座面部１のシート板１３の先端部１３ａは罫線または屈曲部１４においてシート板１３本体に対し折曲げ可能とされている。シート板１３に樹脂系素材またはボール紙を用いている場合には、シート板１３本体と先端部１３ａとの間に罫線を入れることにより、この罫線において折曲げ可能とすることができる。シート板１３がベニヤ板の場合においては、罫線に代えてシート板１３本体と先端１３ａとの間に布地または合成皮革などの薄手のシート材を貼り、このシート材に沿って折曲げ可能とする。
【００３７】
なお、前述したシート板１３の先端部１３ａの幅Ｌ（図３、図４（ａ）参照）は、図５（ｂ）の折畳み状態における２つの長方形板２１ａ、２１ｂ間の厚さＴと等しいかまたはそれよりも大きく設定する。
【００３８】
すなわち、上述した座面部１と座面支持部２との連結部１３ｂよりも折畳んだ状態の座面支持部の厚さＴに対応する位置だけ内側に寄った点において座面部１の下面から折曲げられるようにしている。また、座面支持部２の長方形板２１ａ、２１ｂはその高さが座面部１の短辺よりも少なくとも先端部１３ａの幅Ｌだけ小さい形状としている。
【００３９】
このような構造としたので、シート板１３の先端部１３ａを罫線１４に沿って折曲げて、折畳み状態とした座面支持部２を、座面部１に密着させた収納状態としたり、シート板１３と先端部１３ａとを図４（ａ）に示すように一直線状とし、座面支持部２の長方形板２１ａ、２１ｂを拡開して使用状態（図４参照）とすることができる。
【００４０】
なお、図３において、長方形板２１ａの反長方形板連結部側につまみ３１を取付けている。握み３１は収納状態から座面支持部２を引き上げる際に使用する。
【００４１】
図６（ａ）、（ｂ）に示すように、２枚の長方形板２１ａ、２１ｂの内側に、長さが等しいリンク２５ａ、２５ｂが蝶番２６ａ、２６ｂにより枢動可能に連結されており、両リンク２５ａ、２５ｂの先端部は蝶番２７により連結されており、リンク２５ａ、２５ｂは下向きまたは上向きにへの字状をしており、蝶番２７により屈曲可能である。
【００４２】
リンク２５ａ、２５ｂを常時押し開くように作用するよう名スプリングを設ける。例えば、蝶番２７の箇所において圧縮スプリングをリンク２５ａ、２５ｂ間に張架したり、リンク２５ａ、２５ｂの支点２６ａ、２６ｂの回りに捩りコイルスプリングを装着したり、または、リンク２５ａ、２５ｂそのものを板バネにより構成することによって、長方形板２１ａ、２１ｂを常時開く方向に付勢する。
【００４３】
座面部１の両短辺の下面には図２（ａ）に示すように座面部１に沿って（すなわち、座面支持部２の拡開方向に）延在するガイド１５が垂下して設けられており、このガイド１５には、座面部１に沿って、例えば、ガイド溝１５ａまたはガイド凹部などが形成されており、座面支持部２の長方形板２１ｂの上端部（連結部１３ｂ側の端部）に設けられたピン部材２８がガイド溝１５ａ等に係合している。ガイド１５のガイド溝１５ａ等とピン部材２８とが係合することにより、座面支持部２の長方形板２１ｂは拡開時（図４（ａ）参照）および折畳み時（図２（ａ）参照）にガイド溝１５ａ等に沿って案内される。
【００４４】
更に、図２（ｂ）に示すように、座面部１の下側のシート板１３の長辺のうち反長方形板連結部側のと下面に係止部材１６が設けられている。この係止部材１６には、座面支持部２が拡開された際には、長方形板２１ｂの上端部が当接する。また、図３に示すように、座面支持部２が折畳まれた際には、長方形板２１ｂの下端が係合部材１６内に収納される。従って、本発明の座椅子を折り畳んだ場合には、座面支持部２の端部は図１（ａ）に示すように係止部材１６およびガイド１５により囲まれる。また、座面支持部２が拡開した際にはその拡開量を図１（ｂ）に示すように係止部材１６により制限して座面支持部２の断面形状が図６（ａ）に示すように屈曲した六角形状態となるようにし、本発明の座椅子座面支持部２の強度が高められ、座っている人の荷重に対する強度が増し、座椅子を安全に使用できる。また、拡開状態の座面支持部２が図６（ａ）の状態であるので、座面支持部２を収納するために、長方形板２１ｂを押圧すると。座面支持部２は死点状態となることなく、滑らかに折曲げられる。
【００４５】
本実施例の座椅子の使用方法を図７を参照して説明する。図７（ａ）〜（ｅ）は、本実施例の座椅子を収納状態から使用状態とする手順を時系列的に示す概略図である。
【００４６】
折畳んだ収納状態から使用状態とするには、図７（ａ）に示す折畳み状態から座面部１を持ち上げると、座面支持部２がシート板１３とその先端部１３ａとの間の罫線１４の回りに反時計方向に回動（図７（ｂ）および（ｃ）参照）する。なお、座面支持部２が座面部１に引っ掛かっている等して、上述の反時計方向の回動がすムースに行なわれないときには、つまみ３１（図３）を引張り補助すればよい。
【００４７】
この状態でリンク２５ａ、２５ｂとスプリングの作用により、座面支持部２の長方形板２１ｂが押し拡げられ、この際にピン部材２８がガイド１５のガイド溝１５ａに沿ってスライドし図７（ｄ）、図７（ｅ）に示す使用形態となる。また、上述の使用状態から収納状態とするには、上述の折畳んだ収納状態から使用状態への手順と逆の手順をとればよい。
【００４８】
上述の実施例では座面支持部１をシート板１１、１３で構成し、シート板１３の先端部１３ａが罫線１４の回りに折曲げ可能とし、シート板１１上に設けたシート面１２の大きさは変化しないようにしていた。しかし、両シート板１１、１３を折曲げ可能とし、またはシート板を折曲げ可能な１枚のシート板１３のみとし、シート板先端の折曲げ部分に対応したクッション１２の部分もシート板と一緒に折曲げられるようにしてもよい。
【図面の簡単な説明】
【００４９】
【図１】本発明の一実施例の斜視図であり、（ａ）は収納状態、（ｂ）は使用状態を示す。
【図２】（ａ）は図１（ａ）に示す収納状態にある実施例の正面図、（ｂ）は左側面図、（ｃ）は上面図である。
【図３】図２（ａ）に示す収納状態にある実施例からガイドを除去した正面図である。
【図４】（ａ）は使用状態にある実施例からガイドを除去して示した正面図（なお、除去したガイドを想像線で示している）、（ｂ）は使用状態にある実施例の左側面図である。
【図５】本実施例の座面支持部の平面図であり、（ａ）は拡開状態、（ｂ）は折畳み状態を示す。
【図６】（ａ）は図４（ａ）のＡ−Ａ断面図、（ｂ）は図６（ａ）のＢ−Ｂ断面図である。
【図７】本実施例の座椅子を収納状態から使用状態とする手順を時系列的に示す概略図である。
【符号の説明】
【００５０】
１  座面部
２  座面支持部
２１ａ、２１ｂ  長方形板
２２ａ、２２ｂ  側板
２５ａ、２５ｂ  リンク
【図１】
2006095205.tif 000003
【図２】
2006095205.tif 000004
【図３】
2006095205.tif 000005
【図４】
2006095205.tif 000006
【図５】
2006095205.tif 000007
【図６】
2006095205.tif 000008
【図７】
2006095205.tif 000009